(57)【要約】      （修正有）【課題】従来の電池パックは、電池パックの質量調整と、電池モジュールの再利用との両方を考慮して設計されていない。【解決手段】蓄電装置１４２が、移動体１００に搭載されて使用されるよう構成された第１蓄電システム１４０の一部を構成する場合、蓄電装置は、第１接続部材を用いて又は直接的に、第１蓄電システムの質量を調整するための質量調整部材１６４と着脱自在に接続される。蓄電装置が、移動体に搭載されずに使用される第２蓄電システムの一部を構成する場合、蓄電装置は、第２接続部材を用いて又は直接的に、第２蓄電システムを構成する他の蓄電装置と着脱自在に接続される。【選択図】図１
2020202166.tif 000002
【特許請求の範囲】
【請求項１】
蓄電装置であって、
前記蓄電装置が、移動体に搭載されて使用されるよう構成された第１蓄電システムの一部を構成する場合、前記蓄電装置は、第１接続部材を用いて又は直接的に、前記第１蓄電システムの質量を調整するための質量調整部材と着脱自在に接続され、
前記蓄電装置が、移動体に搭載されずに使用される第２蓄電システムの一部を構成する場合、前記蓄電装置は、第２接続部材を用いて又は直接的に、前記第２蓄電システムを構成する他の蓄電装置と着脱自在に接続される、
蓄電装置。
【請求項２】
前記蓄電装置及び前記質量調整部材は着脱自在に構成されており、
前記第１蓄電システムの一部を構成していた前記蓄電装置が、前記第２蓄電システムの一部を構成する場合、前記蓄電装置は、前記質量調整部材と分離された状態で、前記他の蓄電装置と接続される、
請求項１に記載の蓄電装置。
【請求項３】
前記質量調整部材は、電力を蓄電する蓄電セルを有さず、
前記質量調整部材の質量は、前記第１蓄電システムの全体質量が予め定められた値となるように設定される、
請求項１又は請求項２に記載の蓄電装置。
【請求項４】
１以上の蓄電セルと、
前記１以上の蓄電セルを収容する筐体と、
を備える、
請求項１から請求項３までの何れか一項に記載の蓄電装置。
【請求項５】
複数の蓄電セルと、
前記複数の蓄電セルのうち、少なくとも２つの蓄電セルの電圧を均等化する第１均等化部と、
をさらに備える、
請求項４に記載の蓄電装置。
【請求項６】
前記質量調整部材又は前記他の蓄電装置との接続に用いられる接続部をさらに備える、
請求項１から請求項５までの何れか一項に記載の蓄電装置。
【請求項７】
前記接続部は、前記蓄電装置が前記第１蓄電システムの一部を構成する場合には、前記質量調整部材との接続に用いられ、前記蓄電装置が前記第２蓄電システムの一部を構成する場合には、前記他の蓄電装置との接続に用いられる共通接続部を有する、
請求項６に記載の蓄電装置。
【請求項８】
前記接続部は、
前記質量調整部材との接続に用いられる第１接続部と、
前記第１接続部とは異なる位置に配され、前記他の蓄電装置との接続に用いられる第２接続部と、
を有する、
請求項６又は請求項７に記載の蓄電装置。
【請求項９】
請求項１から請求項８までの何れか一項に記載の蓄電装置と、
前記質量調整部材と、
を備える、蓄電システム。
【請求項１０】
前記蓄電装置及び前記質量調整部材を収容する収容部材をさらに備え、
前記質量調整部材は、前記収容部材に着脱自在に取り付けられており、
前記蓄電装置は、前記第１接続部材を用いて又は直接的に、前記質量調整部材及び前記収容部材に着脱自在に取り付けられている、
請求項９に記載の蓄電システム。
【請求項１１】
前記蓄電装置及び前記質量調整部材を収容する収容部材をさらに備え、
前記質量調整部材の少なくとも一部は、前記収容部材と、前記蓄電装置との間に配されており、
前記蓄電装置が、前記第１接続部材を用いて又は直接的に、前記収容部材に着脱自在に取り付けられることで、前記質量調整部材が、前記収容部材に着脱自在に取り付けられている、
請求項９に記載の蓄電システム。
【請求項１２】
前記蓄電装置の動作及び状態の少なくとも一方を示す情報を収集する情報収集部をさらに備える、
請求項９から請求項１１までの何れか一項に記載の蓄電システム。
【請求項１３】
請求項１から請求項８までの何れか一項に記載の蓄電装置を備える、定置用の蓄電システムであって、
前記蓄電システムは、
複数の前記蓄電装置と、
前記複数の蓄電装置の電圧を均等化する第２均等化部と、
を備える、定置用の蓄電システム。
【請求項１４】
蓄電装置を備えた蓄電システムを生産する方法であって、
前記蓄電装置の質量を示す第１質量情報を取得する第１質量情報取得段階と、
移動体に搭載された他の蓄電システムの一部を構成する他の蓄電装置の質量を示す第２質量情報を取得する第２質量情報取得段階と、
前記第２質量情報により示される質量と、前記第１質量情報により示される質量との差に相当する質量を有する質量調整部材を準備する第１準備段階と、
前記蓄電装置及び前記質量調整部材を組み立てて、前記蓄電システムを作製する組立段階と、
を有する、蓄電システムを生産する方法。
【請求項１５】
前記他の蓄電システムの外形寸法を示す寸法情報を取得する寸法情報取得段階と、
前記他の蓄電システムの重心の位置を示す重心情報を取得する重心情報取得段階と、
前記寸法情報により示される外形寸法を有し、その内部に前記蓄電装置及び前記質量調整部材を収容するための収容部材を準備する第２準備段階と、
をさらに有し、
前記組立段階は、前記収容部材の外形と、前記蓄電システムの重心との位置関係が、前記他の蓄電システムの外形と、前記重心情報により示される前記他の蓄電システムの重心との位置関係と略同一になるように、前記蓄電装置及び前記質量調整部材を前記収容部材に取り付ける段階を含む、
請求項１４に記載の蓄電システムを生産する方法。
【請求項１６】
定置用の蓄電システムを生産する方法であって、
他の蓄電システムであって、電力を蓄積する蓄電装置と、前記他の蓄電システムの質量を調整するための質量調整部材とを備える他の蓄電システムを、複数個準備する段階と、
複数個の前記他の蓄電システムのそれぞれを構成する複数の前記蓄電装置のそれぞれと、対応する前記質量調整部材とを分離する段階と、
対応する前記質量調整部材から分離された前記複数の蓄電装置を電気的に接続する段階と、
を有する、定置用の蓄電システムを生産する方法。
【発明の詳細な説明】
【技術分野】
【０００１】
本発明は、蓄電装置、蓄電システム、蓄電装置を生産する方法、及び、蓄電システムを生産する方法に関する。
【背景技術】
【０００２】
近年、自動車に搭載された二次電池が劣化した場合に、当該二次電池を、定置用の二次電池として再利用することが検討されている（例えば、特許文献１）。また、車両に搭載される電池パックを構成する電池モジュールの個数を増減させる場合に、当該電池モジュールの増減に応じて、電池パック内にダミーモジュール等を設置することで、電池パックのウェイトバランスの悪化を防止する技術が知られている（例えば、特許文献２〜３）。
［先行技術文献］
［特許文献］
［特許文献１］特開２０１３−２１８９０９号公報
［特許文献２］特許第６３０４４２６号公報
［特許文献３］特許第５２０８６５３号公報
【発明の概要】
【発明が解決しようとする課題】
【０００３】
電池パックの質量を調整するために、例えば、当該電池パックを構成する電池モジュールの一部をダミーモジュールに置換する場合、当該電池パックの組立作業の作業量が比較的多くなる。また、電池パックを構成する電池モジュールを再利用するときに、当該電池パックの分解作業の作業量も比較的多くなる。このように、従来の電池パックは、電池パックの質量調整と、電池モジュールの再利用との両方を考慮して設計されていない。
【課題を解決するための手段】
【０００４】
本発明の第１の態様においては、蓄電装置が提供される。上記の蓄電装置が、移動体に搭載されて使用されるよう構成された第１蓄電システムの一部を構成する場合、上記の蓄電装置は、例えば、第１接続部材を用いて又は直接的に、第１蓄電システムの質量を調整するための質量調整部材と着脱自在に接続される。上記の蓄電装置が、移動体に搭載されずに使用される第２蓄電システムの一部を構成する場合、上記の蓄電装置は、例えば、第２接続部材を用いて又は直接的に、第２蓄電システムを構成する他の蓄電装置と着脱自在に接続される。
【０００５】
上記の蓄電装置において、蓄電装置及び質量調整部材は着脱自在に構成されてよい。上記の蓄電装置において、第１蓄電システムの一部を構成していた蓄電装置が、第２蓄電システムの一部を構成する場合、蓄電装置は、質量調整部材と分離された状態で、他の蓄電装置と接続されてよい。上記の蓄電装置において、質量調整部材は、電力を蓄電する蓄電セルを有しなくてよい。上記の蓄電装置において、質量調整部材の質量は、第１蓄電システムの全体質量が予め定められた値となるように設定されてよい。
【０００６】
上記の蓄電装置は、１以上の蓄電セルを備えてよい。上記の蓄電装置は、１以上の蓄電セルを収容する筐体を備えてよい。上記の蓄電装置は、複数の蓄電セルを備えてよい。上記の蓄電装置は、複数の蓄電セルのうち、少なくとも２つの蓄電セルの電圧を均等化する第１均等化部を備えてよい。
【０００７】
上記の蓄電装置は、質量調整部材又は他の蓄電装置との接続に用いられる接続部を備えてよい。上記の蓄電装置において、接続部は、蓄電装置が第１蓄電システムの一部を構成する場合には、質量調整部材との接続に用いられ、蓄電装置が第２蓄電システムの一部を構成する場合には、他の蓄電装置との接続に用いられる共通接続部を有してよい。上記の蓄電装置において、接続部は、質量調整部材との接続に用いられる第１接続部と、第１接続部とは異なる位置に配され、他の蓄電装置との接続に用いられる第２接続部とを有してよい。
【０００８】
本発明の第２の態様においては、蓄電システムが提供される。上記の蓄電システムは、例えば、上記の第１の態様に係る蓄電装置を備える。上記の蓄電システムは、例えば、質量調整部材を備える。
【０００９】
上記の蓄電システムは、蓄電装置及び質量調整部材を収容する収容部材を備えてよい。上記の蓄電システムにおいて、質量調整部材は、収容部材に着脱自在に取り付けられてよい。上記の蓄電システムにおいて、蓄電装置は、第１接続部材を用いて又は直接的に、質量調整部材及び収容部材に着脱自在に取り付けられてよい。
【００１０】
上記の蓄電システムは、蓄電装置及び質量調整部材を収容する収容部材を備えてよい。上記の蓄電システムにおいて、質量調整部材の少なくとも一部は、収容部材と、蓄電装置との間に配されてよい。上記の蓄電システムにおいて、蓄電装置が、第１接続部材を用いて又は直接的に、収容部材に着脱自在に取り付けられることで、質量調整部材が、収容部材に着脱自在に取り付けられてよい。
【００１１】
上記の蓄電システムは、蓄電装置の動作及び状態の少なくとも一方を示す情報を収集する情報収集部を備えてよい。
【００１２】
本発明の第３の態様においては、定置用の蓄電システムが提供される。上記の定置用の蓄電システムは、例えば、上記の第１の態様に係る蓄電装置を備える。上記の定置用の蓄電システムは、例えば、複数の蓄電装置と、複数の蓄電装置の電圧を均等化する第２均等化部とを備える。
【００１３】
本発明の第４の態様においては、蓄電装置を備えた蓄電システムを生産する方法が提供される。上記の方法は、例えば、蓄電装置の質量を示す第１質量情報を取得する第１質量情報取得段階を有する。上記の方法は、例えば、移動体に搭載された他の蓄電システムの一部を構成する他の蓄電装置の質量を示す第２質量情報を取得する第２質量情報取得段階を有する。上記の方法は、例えば、第２質量情報により示される質量と、第１質量情報により示される質量との差に相当する質量を有する質量調整部材を準備する第１準備段階を有する。上記の方法は、例えば、蓄電装置及び質量調整部材を組み立てて、蓄電システムを作製する組立段階を有する。
【００１４】
上記の方法は、他の蓄電システムの外形寸法を示す寸法情報を取得する寸法情報取得段階を有してよい。上記の方法は、他の蓄電システムの重心の位置を示す重心情報を取得する重心情報取得段階を有してよい。上記の方法は、寸法情報により示される外形寸法を有し、その内部に蓄電装置及び質量調整部材を収容するための収容部材を準備する第２準備段階を有してよい。上記の方法において、組立段階は、収容部材の外形と、蓄電システムの重心との位置関係が、他の蓄電システムの外形と、重心情報により示される他の蓄電システムの重心との位置関係と略同一になるように、蓄電装置及び質量調整部材を収容部材に取り付ける段階を含んでよい。
【００１５】
本発明の第５の態様においては、定置用の蓄電システムを生産する方法が提供される。上記の方法は、例えば、他の蓄電システムであって、電力を蓄積する蓄電装置と、他の蓄電システムの質量を調整するための質量調整部材とを備える他の蓄電システムを、複数個準備する段階を有する。上記の方法は、例えば、複数個の他の蓄電システムのそれぞれを構成する複数の蓄電装置のそれぞれと、対応する質量調整部材とを分離する段階を有する。上記の方法は、例えば、対応する質量調整部材から分離された複数の蓄電装置を電気的に接続する段階を有する。
【００１６】
なお、上記の発明の概要は、本発明の必要な特徴の全てを列挙したものではない。また、これらの特徴群のサブコンビネーションもまた、発明となりうる。
【図面の簡単な説明】
【００１７】
【図１】リチウム電池パック１６０の用途の一例を概略的に示す。
【図２】リチウム電池パック１６０の用途の他の例を概略的に示す。
【図３】蓄電モジュール１６２のシステム構成の一例を概略的に示す。
【図４】リチウム電池パック１６０の組立工程の一例を概略的に示す。
【図５】リチウム電池パック１６０の組立工程の一例を概略的に示す。
【図６】リチウム電池パック１６０の組立工程の一例を概略的に示す。
【図７】リチウム電池パック１６０の断面図の一例を概略的に示す。
【図８】リチウム電池パック１６０の断面図の他の例を概略的に示す。
【図９】ラック２２２の構造の一例を概略的に示す。
【図１０】蓄電モジュール１６２の取付方法の一例を概略的に示す。
【図１１】リチウム電池パック１６０の生産方法の一例を概略的に示す。
【図１２】定置用電源２００の生産方法の一例を概略的に示す。
【図１３】コンピュータ３０００のシステム構成の一例を概略的に示す。
【発明を実施するための形態】
【００１８】
以下、発明の実施の形態を通じて本発明を説明するが、以下の実施形態は、特許請求の範囲にかかる発明を限定するものではない。実施形態の中で説明されている特徴の組み合わせの全てが発明の解決手段に必須であるとは限らない。また、図面を参照して、実施形態について説明するが、図面の記載において、同一または類似の部分には同一の参照番号を付して重複する説明を省く場合がある。
【００１９】
本明細書において、「電気的に接続される」とは、特定の要素と他の要素とが直接接続される場合に限定されない。特定の要素と他の要素との間に、第三の要素が介在してもよい。また、特定の要素と他の要素とが物理的に接続されている場合に限定されない。例えば、変圧器の入力巻線と出力巻線とは物理的には接続されていないが、電気的には接続されている。さらに、特定の要素と他の要素とが現実に電気的に接続されている場合だけでなく、蓄電セルとバランス補正部とが電気的に接続されたときに、特定の要素と他の要素とが電気的に接続される場合をも含む。また、「直列に接続される」とは、特定の要素と他の要素とが直列に電気的に接続されることを示し、「並列に接続される」とは、特定の要素と他の要素とが並列に電気的に接続されることを示す。
【００２０】
図１及び図２を用いて、リチウム電池パック１６０の構造及び用途の概要が説明される。図１は、リチウム電池パック１６０の用途の一例を概略的に示す。具体的には、図１を用いて、車両１００に搭載されている既存の電池パックを、リチウム電池パック１６０に置き換える場合を例として、リチウム電池パック１６０の詳細が説明される。図２は、リチウム電池パック１６０の用途の他の例を概略的に示す。具体的には、図２を用いて、リチウム電池パック１６０を、定置用電源２００の一部として再利用する場合を例として、リチウム電池パック１６０の詳細が説明される。
【００２１】
図１に示されるとおり、本実施形態において、車両１００は、車両制御部１２０と、駆動システム１３０と、電源システム１４０とを備える。本実施形態において、電源システム１４０は、鉛電池パック１４２を有する。また、本実施形態において、リチウム電池パック１６０は、蓄電モジュール１６２と、ウエイトモジュール１６４と、収容ケース１６６と、アンテナ１６８とを備える。
【００２２】
図２に示されるとおり、本実施形態において、定置用電源２００は、蓄電部２２０と、モジュール均等化部２３０と、電源制御部２４０とを備える。本実施形態において、蓄電部２２０は、ラック２２２を有する。
【００２３】
[車両１００の概要]
本実施形態において、車両１００は、電源システム１４０が提供する電力を使用する。車両１００は、電源システム１４０が提供する電力を使用して移動してもよい。車両１００としては、自動車、自動二輪車、作業機械、電車などが例示される。自動二輪車としては、（ｉ）バイク、（ｉｉ）三輪バイク、（ｉｉｉ）セグウェイ（登録商標）、動力ユニット付きキックボード（登録商標）、動力ユニット付きスケートボードのような、動力ユニットを有する立ち乗り二輪車又は三輪車などが例示される。作業機械としては、フォークリフト、農作業機械、土木作業機械などが例示される。
【００２４】
本実施形態において、車両制御部１２０は、車両１００の動作を制御する。車両制御部１２０は、例えば、駆動システム１３０を制御して、車両１００の駆動を制御する。車両制御部１２０は、例えば、電源システム１４０を制御して、電源システム１４０の充電及び放電を制御する。
【００２５】
本実施形態において、駆動システム１３０は、車両制御部１２０からの指示に従って、車両１００を駆動する。駆動システム１３０は、電源システム１４０から提供される電力を使用して、車両１００を駆動してよい。
【００２６】
本実施形態において、電源システム１４０は、車両制御部１２０からの指示に従って、電源システム１４０に蓄えられた電力を出力する。電源システム１４０は、車両制御部１２０からの指示に従って、鉛電池パック１４２を充電する。
【００２７】
本実施形態において、鉛電池パック１４２は、電力を蓄積したり、電力を放出したりする。鉛電池パック１４２は、１又は複数の鉛蓄電池の蓄電セルを含む。鉛電池パック１４２の内部において、複数の蓄電セルの少なくとも一部が直列に接続されていてもよく、複数の蓄電セルの少なくとも一部が並列に接続されていてもよく、複数の蓄電セルの少なくとも一部がマトリクス状に接続されていてもよい。
【００２８】
［車両１００の各部の具体的な構成］
車両１００の各部は、ハードウエアにより実現されてもよく、ソフトウエアにより実現されてもよく、ハードウエア及びソフトウエアにより実現されてもよい。車両１００を構成する構成要素の少なくとも一部がソフトウエアにより実現される場合、当該ソフトウエアにより実現される構成要素は、一般的な構成の情報処理装置において、当該構成要素に関する動作を規定したプログラムを起動することにより実現されてよい。上記の情報処理装置は、例えば、（ｉ）ＣＰＵ、ＧＰＵなどのプロセッサ、ＲＯＭ、ＲＡＭ、通信インターフェースなどを有するデータ処理装置と、（ｉｉ）キーボード、タッチパネル、カメラ、マイク、各種センサ、ＧＰＳ受信機などの入力装置と、（ｉｉｉ）表示装置、スピーカ、振動装置などの出力装置と、（ｉｖ）メモリ、ＨＤＤなどの記憶装置（外部記憶装置を含む。）とを備える。プロセッサは、コンピュータの一例であってもよい。
【００２９】
上記の情報処理装置において、上記のデータ処理装置又は記憶装置は、プログラムを格納してよい。上記のプログラムは、非一時的なコンピュータ可読記録媒体に格納されてよい。上記のプログラムは、プロセッサによって実行されることにより、上記の情報処理装置に、当該プログラムによって規定された動作を実行させる。
【００３０】
プログラムは、非一時的なコンピュータ可読記録媒体に格納されていてもよい。プログラムは、ＣＤ−ＲＯＭ、ＤＶＤ−ＲＯＭ、メモリ、ハードディスクなどのコンピュータ読み取り可能な媒体に記憶されていてもよく、ネットワークに接続された記憶装置に記憶されていてもよい。プログラムは、コンピュータ読み取り可能な媒体又はネットワークに接続された記憶装置から、車両１００の少なくとも一部を構成するコンピュータにインストールされてよい。プログラムが実行されることにより、コンピュータが、車両１００の各部の少なくとも一部として機能してもよい。
【００３１】
コンピュータを車両１００の各部の少なくとも一部として機能させるプログラムは、車両１００の各部の動作を規定したモジュールを備えてよい。これらのプログラム又はモジュールは、データ処理装置、入力装置、出力装置、記憶装置等に働きかけて、コンピュータを車両１００の各部として機能させたり、コンピュータに車両１００の各部における情報処理方法を実行させたりする。
【００３２】
プログラムに記述された情報処理は、当該プログラムがコンピュータに読込まれることにより、当該プログラムに関連するソフトウエアと、車両１００の各種のハードウエア資源とが協働した具体的手段として機能する。そして、上記の具体的手段が、本実施形態におけるコンピュータの使用目的に応じた情報の演算又は加工を実現することにより、当該使用目的に応じた車両１００が構築される。
【００３３】
［リチウム電池パック１６０の概要］
本実施形態において、リチウム電池パック１６０は、車両１００に搭載されて使用されるように構成される。図１に記載された実施形態によれば、鉛電池パック１４２が、車両１００の電源システム１４０から取り外され、鉛電池パック１４２の代わりに、リチウム電池パック１６０が、車両１００に搭載される。車両１００の各部は、鉛電池パック１４２の質量を考慮して設計されている可能性がある。そのため、リチウム電池パック１６０の質量は、鉛電池パック１４２の質量と略同一であることが好ましい。
【００３４】
リチウム電池パック１６０の質量と、鉛電池パック１４２の質量とが略同一であるとは、リチウム電池パック１６０の質量と、鉛電池パック１４２の質量とが同一である場合だけでなく、リチウム電池パック１６０の質量及び鉛電池パック１４２の質量の差が、車両１００の設計上、許容できる範囲である場合をも含む。具体的には、リチウム電池パック１６０の質量及び鉛電池パック１４２の質量の差の絶対値が、鉛電池パック１４２の質量の２０％以内であることが好ましく、鉛電池パック１４２の質量の１５％以内であることがより好ましく、鉛電池パック１４２の質量の１０％以内であることがさらに好ましく、鉛電池パック１４２の質量の５％以内であることがさらに好ましい。
【００３５】
同様に、車両１００の各部は、鉛電池パック１４２の重心の位置を考慮して設計されている可能性がある。より具体的には、車両１００の各部は、車両１００の任意の基準点に対する、鉛電池パック１４２の重心の相対位置を考慮して設計されている可能性がある。車両１００の基準点は、車両１００の重心であってよい。車両１００の基準点は、鉛電池パック１４２又はリチウム電池パック１６０が取り外された場合における、車両１００の重心であってよい。
【００３６】
そこで、一実施形態において、車両１００の基準点に対するリチウム電池パック１６０の重心の相対位置が、鉛電池パック１４２が車両１００に搭載されていたときの、車両１００の基準点に対する鉛電池パック１４２の重心の相対位置と略同一となるように、車両１００におけるリチウム電池パック１６０の搭載位置が決定される。上記の略同一の範囲又は程度は、車両１００の設計上、許容できる誤差又は変動の範囲又は程度を考慮して決定されてよい。
【００３７】
他の実施形態において、（ｉ）リチウム電池パック１６０の外形寸法と、（ｉｉ）車両１００におけるリチウム電池パック１６０の搭載位置と、（ｉｉｉ）鉛電池パック１４２が車両１００に搭載されていたときの、車両１００の基準点に対する鉛電池パック１４２の重心の相対位置とに基づいて、リチウム電池パック１６０におけるリチウム電池パック１６０の重心の位置が決定される。例えば、リチウム電池パック１６０の外形寸法が、鉛電池パック１４２の外形寸法と略同一である場合、リチウム電池パック１６０の重心の位置は、鉛電池パック１４２の重心の位置と略同一であることが好ましい。上記の略同一の範囲又は程度は、車両１００の設計上、許容できる誤差又は変動の範囲又は程度を考慮して決定されてよい。
【００３８】
さらに他の実施形態において、（ｉ）リチウム電池パック１６０の外形寸法と、（ｉｉ）車両１００におけるリチウム電池パック１６０の搭載位置と、（ｉｉｉ）鉛電池パック１４２が車両１００に搭載されていたときの、車両１００の基準点に対する鉛電池パック１４２の重心の相対位置とに基づいて、リチウム電池パック１６０の質量と、リチウム電池パック１６０におけるリチウム電池パック１６０の重心の位置とが決定される。例えば、車両１００の基準点を回転中心とした場合の鉛電池パック１４２の慣性モーメントと、車両１００の基準点を回転中心とした場合のリチウム電池パック１６０の慣性モーメントとが略同一となるように、リチウム電池パック１６０の質量と、リチウム電池パック１６０の重心の位置とが決定される。上記の略同一の範囲又は程度は、車両１００の設計上、許容できる誤差又は変動の範囲又は程度を考慮して決定されてよい。
【００３９】
また、図２に示されるとおり、本実施形態によれば、例えば、リチウム電池パック１６０を構成する蓄電モジュール１６２の劣化が予め定められた程度まで進行すると、リチウム電池パック１６０は、車両１００から取り外される。また、車両１００から取り外されたリチウム電池パック１６０は、定置用電源２００の一部として再利用される。より具体的には、まず、１又は複数の車両１００から取り外された複数のリチウム電池パック１６０が収集される。次に、複数のリチウム電池パック１６０のそれぞれが分解されて、複数の蓄電モジュール１６２が取り出される。これにより、蓄電モジュール１６２と、ウエイトモジュール１６４とが分離される。その後、ウエイトモジュール１６４から分離された蓄電モジュール１６２は、ラック２２２に取り付けられて、定置用電源２００の蓄電部２２０の一部として再利用される。
【００４０】
［リチウム電池パック１６０の各部の概要］
本実施形態において、蓄電モジュール１６２は、電力を蓄積したり、電力を放出したりする。蓄電モジュール１６２は、１又は複数の蓄電セル（蓄電セル群と称される場合がある。）を含む。一実施形態において、蓄電モジュール１６２は、リチウム電池パック１６０の一部を構成する。他の実施形態において、蓄電モジュール１６２は、定置用電源２００の一部を構成する。
【００４１】
図１に示されるとおり、蓄電モジュール１６２がリチウム電池パック１６０の一部を構成する場合、蓄電モジュール１６２は、ウエイトモジュール１６４と、直接的又は間接的に接続される。蓄電モジュール１６２及びウエイトモジュール１６４は、着脱自在に接続されてよい。
【００４２】
例えば、蓄電モジュール１６２及びウエイトモジュール１６４が溶接により結合されている場合、蓄電モジュール１６２及びウエイトモジュール１６４は、着脱自在ではない。一方、蓄電モジュール１６２及びウエイトモジュール１６４が（ｉ）留め具などの物理的手段、（ｉｉ）接着剤などの化学的手段、及び、（ｉｉｉ）磁石などの磁気的手段により結合されている場合、蓄電モジュール１６２及びウエイトモジュール１６４は、着脱自在である。
【００４３】
一実施形態において、蓄電モジュール１６２及びウエイトモジュール１６４は、嵌め込みなどの手法により、直接的に接続されてよい。他の実施形態において、蓄電モジュール１６２及びウエイトモジュール１６４は、任意の部材を介して、間接的に接続されてもよい。任意の部材としては、（ｉ）留め具、ロープ、バンド、布、及び、各種の材料の板、棒、箱又は袋、（ｉｉ）テープ及び接着剤、並びに、（ｉｉｉ）磁石からなる群から選択される少なくとも１つが例示される。留め具としては、ピン、ネジ、面ファスナーなどが例示される。
【００４４】
本実施形態においては、蓄電モジュール１６２と、収容ケース１６６の一部の部分とが直接的又は間接的に接続され、且つ、ウエイトモジュール１６４と、収容ケース１６６の他の一部とが、直接的又は間接的に接続される。これにより、蓄電モジュール１６２及びウエイトモジュール１６４が接続される。
【００４５】
図２に示されるとおり、複数の蓄電モジュール１６２が定置用電源２００の一部を構成する場合、一の蓄電モジュール１６２は、定置用電源２００を構成する他の蓄電モジュール１６２と、直接的又は間接的に接続される。蓄電モジュール１６２及びウエイトモジュール１６４は、着脱自在に接続されてもよく、強固に接続されてもよい。
【００４６】
一実施形態において、一の蓄電モジュール１６２及び他の蓄電モジュール１６２は、嵌め込みなどの手法により、直接的に接続されてよい。他の実施形態において、一の蓄電モジュール１６２及び他の蓄電モジュール１６２は、任意の部材を介して、間接的に接続されてもよい。任意の部材としては、（ｉ）留め具、ロープ、バンド、布、及び、各種の材料の板、棒、箱又は袋（ｉｉ）テープ及び接着剤、並びに、（ｉｉｉ）磁石からなる群から選択される少なくとも１つが例示される。留め具としては、ピン、ネジ、面ファスナーなどが例示される。
【００４７】
本実施形態においては、一の蓄電モジュール１６２と、ラック２２２の一の部分とが直接的又は間接的に接続され、且つ、他の蓄電モジュール１６２と、ラック２２２の他の部分とが直接的又は間接的に接続される。これにより、一の蓄電モジュール１６２及び他の蓄電モジュール１６２が、ラック２２２を介して間接的に接続される。なお、蓄電モジュール１６２の詳細は後述される。
【００４８】
本実施形態において、ウエイトモジュール１６４は、リチウム電池パック１６０の質量を調整するために用いられる。ウエイトモジュール１６４は、リチウム電池パック１６０の重心を調整するために用いられてもよい。ウエイトモジュール１６４は、蓄電セルを有してもよく、蓄電セルを有さなくてもよい。
【００４９】
一実施形態において、ウエイトモジュール１６４の質量は、リチウム電池パック１６０の全体質量が予め定められた値となるように設定される。ウエイトモジュール１６４の質量は、リチウム電池パック１６０の全体質量が、鉛電池パック１４２の全体質量と略同一になるように設定されてもよい。
【００５０】
他の実施形態において、ウエイトモジュール１６４の質量は、（ｉ）リチウム電池パック１６０が車両１００に搭載されたときに、車両１００の基準点を中心とするリチウム電池パック１６０の慣性モーメントと、（ｉｉ）鉛電池パック１４２が車両１００に搭載されたときに、車両１００の基準点を中心とする鉛電池パック１４２の慣性モーメントとが略同一になるように設定されてもよい。車両１００の基準点は、車両１００の重心であってよい。車両１００の基準点は、鉛電池パック１４２又はリチウム電池パック１６０が取り外された場合における、車両１００の重心であってよい。
【００５１】
鉛電池パック１４２をリチウム電池パック１６０に置き換える場合、リチウム電池パック１６０の容量は、鉛電池パック１４２の容量と略同一、又は、鉛電池パック１４２の容量より大きくなるように決定されることが多い。ここで、一般的に、鉛蓄電池は、リチウム電池又はリチウムイオン電池と比較して、容量当たりの質量が大きい。そのため、リチウム電池パック１６０の外形寸法が、鉛電池パック１４２の外形寸法と略同一、又は、鉛電池パック１４２の外形寸法より小さい場合であっても、リチウム電池パック１６０の適切な位置に、適切な質量を有するウエイトモジュール１６４を配置することで、リチウム電池パック１６０の質量を調整したり、リチウム電池パック１６０の重心の位置を調整したりすることができる。
【００５２】
本実施形態において、収容ケース１６６は、蓄電モジュール１６２及びウエイトモジュール１６４を保持する。収容ケース１６６は、その内部に、蓄電モジュール１６２及びウエイトモジュール１６４を収容してよい。収容ケース１６６には、蓄電モジュール１６２及びウエイトモジュール１６４をその内部に収容したり、蓄電モジュール１６２及びウエイトモジュール１６４をその内部からとりだしたりするための開口が形成される。収容ケース１６６は、上記の開口を塞ぐための蓋部材（図示されていない。）を有してよい。
【００５３】
本実施形態において、アンテナ１６８は、蓄電モジュール１６２と、リチウム電池パック１６０の外部の情報処理装置との間の無線通信に用いられる。アンテナ１６８は、収容ケース１６６の外部に配されてよい。収容ケース１６６が開口を有する場合、アンテナ１６８は、収容ケース１６６の内部に配されてもよい。
【００５４】
［定置用電源２００の概要］
本実施形態において、定置用電源２００は、車両１００に搭載されずに使用される。図２に記載された実施形態によれば、例えば、車両１００に搭載されていたリチウム電池パック１６０に含まれる蓄電モジュール１６２の劣化が予め定められた程度まで進行すると、リチウム電池パック１６０が、車両１００の電源システム１４０から取り外される。
【００５５】
電源システム１４０から取り外されたリチウム電池パック１６０は分解され、蓄電モジュール１６２が回収される。上述されたとおり、リチウム電池パック１６０において、蓄電モジュール１６２及びウエイトモジュール１６４は、着脱自在に構成されている。そのため、この段階で、蓄電モジュール１６２と、ウエイトモジュール１６４とが分離され得る。そして、蓄電モジュール１６２は、ウエイトモジュール１６４と分離された状態で、他の蓄電モジュール１６２と接続される。また、複数の蓄電モジュール１６２が電気的に接続される。
【００５６】
これにより、回収された蓄電モジュール１６２が、定置用電源２００の蓄電部２２０の一部として再利用される。蓄電モジュール１６２と分離されたウエイトモジュール１６４は、ラック２２２に搭載されることなく、リチウム電池パック１６０の質量を調整するために再利用されてよい。本実施形態によれば、ウエイトモジュール１６４がラック２２２に搭載されないので、ラック２２２のコスト及びスペースが低減され得る。
【００５７】
［定置用電源２００の各部の概要］
本実施形態において、蓄電部２２０は、電力を蓄積したり、電力を放出したりする。蓄電部２２０は、１又は複数の蓄電モジュール１６２を含む。例えば、複数のリチウム電池パック１６０のそれぞれから回収された複数の蓄電モジュール１６２のそれぞれが、ラックに取り付けられる。複数の蓄電モジュール１６２のそれぞれは、ラック２２２に着脱自在に取り付けられてよい。ラック２２２の詳細は後述される。
【００５８】
一実施形態において、複数の蓄電モジュール１６２のそれぞれと、ラック２２２とは、嵌め込みなどの手法により、直接的に接続されてよい。他の実施形態において、複数の蓄電モジュール１６２のそれぞれと、ラック２２２とは、任意の部材を介して、間接的に接続されてもよい。任意の部材としては、（ｉ）留め具、ロープ、バンド、布、及び、各種の材料の板又は棒、（ｉｉ）テープ及び接着剤、並びに、（ｉｉｉ）磁石からなる群から選択される少なくとも１つが例示される。留め具としては、ピン、ネジ、面ファスナーなどが例示される。
【００５９】
本実施形態において、モジュール均等化部２３０は、蓄電部２２０を構成する複数の蓄電モジュール１６２のうち、少なくとも２つ蓄電モジュール１６２の電圧を均等化する。モジュール均等化部２３０の動作原理は特に限定されるものではなく、任意のバランス補正装置（均等化装置と称される場合もある。）を利用することができる。
【００６０】
モジュール均等化部２３０は、複数のバランス補正装置を有してよい。一実施形態において、蓄電部２２０がｎ個（ｎは、２以上の整数である。）の蓄電モジュール１６２を有する場合、モジュール均等化部２３０は、ｎ個のバランス補正装置を有する。他の実施形態において、蓄電部２２０がｎ個（ｎは、２以上の整数である。）の蓄電モジュール１６２を有する場合、モジュール均等化部２３０は、ｎ−１個のバランス補正装置を有する。
【００６１】
モジュール均等化部２３０は、ハードウエアにより実現されてもよく、ソフトウエアにより実現されてもよく、ハードウエアとソフトウエアとの組み合わせにより実現されてもよい。モジュール均等化部２３０は、アナログ回路、デジタル回路、又は、アナログ回路及びデジタル回路の組み合わせにより実現されてもよい。一実施形態において、モジュール均等化部２３０は、アクティブ方式のバランス補正装置を含む。アクティブ方式のバランス補正装置は、特開２００６−０６７７４２号公報に記載されているような、２つの蓄電モジュール１６２の間でインダクタを介して電荷を移動させるバランス補正装置であってもよく、特開２０１２−２１０１０９号公報に記載されているような、キャパシタを用いて電荷を移動させるバランス補正装置を含む。他の実施形態において、モジュール均等化部２３０は、パッシブ方式のバランス補正装置であってもよい。パッシブ方式のバランス補正装置は、例えば、外部抵抗を用いて余計な電荷を放出する。
【００６２】
本実施形態において、電源制御部２４０は、定置用電源２００の動作を制御する。電源制御部２４０は、定置用電源２００の出力を制御してよい。電源制御部２４０は、例えば、定置用電源２００の出力電力、出力電圧、出力電流、及び、出力レートの少なくとも１つを制御する。電源制御部２４０は、定置用電源２００の充電を制御してよい。例えば、電源制御部２４０は、定置用電源２００の充電電力、充電電圧、充電電流、及び、充電レートの少なくとも１つを制御する。
【００６３】
電源制御部２４０は、蓄電部２２０を構成する複数の蓄電モジュール１６２のそれぞれの動作及び状態の少なくとも一方を監視してよい。電源制御部２４０は、時刻を示す情報と、当該時刻における蓄電モジュール１６２の状態を示す情報とを対応付けて、任意の記憶装置に格納してよい。
【００６４】
蓄電モジュール１６２の動作としては、充電、放電、均等化、及び、停止の少なくとも１つが例示される。蓄電モジュール１６２の状態としては、電圧値、電流値、残容量、ＳＯＣ（Ｓｔａｔｅ  Ｏｆ  Ｃｈａｒｇｅ）、温度、及び、劣化状態、並びに、蓄電モジュール１６２の異常の有無の少なくとも１つが例示される。
【００６５】
蓄電モジュール１６２の劣化状態に関する情報としては、任意の時点における蓄電モジュール１６２の情報であって、（ｉ）満充電状態における電池容量、（ｉｉ）予め定められた温度条件におけるＳＯＣ、（ｉｉｉ）ＳＯＨ（Ｓｔａｔｅ  Ｏｆ  Ｈｅａｌｔｈ）、（ｉｖ）等価直列抵抗（ＤＣＲ、内部抵抗と称される場合もある。）、（ｖ）初期状態又は予め定められたタイミングから積算された使用時間、充電回数、充電量、放電量、充放電サイクル数、温度ストレス要素及び過電流ストレス要素の少なくとも１つなどに関する情報を例示することができる。蓄電モジュール１６２の異常の有無を示す情報としては、蓄電モジュール１６２の動作又は状態が正常であることを示す情報、蓄電モジュール１６２の動作又は状態に異常が生じたことを示す情報、蓄電モジュール１６２の動作又は状態に異常が生じていることを示す情報、蓄電モジュール１６２の異常を知らせる警報の有無を示す情報などが例示される。
【００６６】
電源制御部２４０は、蓄電部２２０の過充電及び過放電を防止してよい。電源制御部２４０は、モジュール均等化部２３０の動作を制御して、蓄電部２２０を構成する複数の蓄電モジュール１６２の間の電圧のバラツキを補正してよい。
【００６７】
電源制御部２４０は、ハードウエアにより実現されてもよく、ソフトウエアにより実現されてもよく、ハードウエア及びソフトウエアにより実現されてもよい。電源制御部２４０を構成する構成要素の少なくとも一部がソフトウエアにより実現される場合、当該ソフトウエアにより実現される構成要素は、一般的な構成の情報処理装置において、当該構成要素に関する動作を規定したプログラムを起動することにより実現されてよい。上記の情報処理装置は、例えば、（ｉ）ＣＰＵ、ＧＰＵなどのプロセッサ、ＲＯＭ、ＲＡＭ、通信インターフェースなどを有するデータ処理装置と、（ｉｉ）キーボード、タッチパネル、カメラ、マイク、各種センサ、ＧＰＳ受信機などの入力装置と、（ｉｉｉ）表示装置、スピーカ、振動装置などの出力装置と、（ｉｖ）メモリ、ＨＤＤなどの記憶装置（外部記憶装置を含む。）とを備える。プロセッサは、コンピュータの一例であってもよい。
【００６８】
車両１００は、移動体の一例であってよい。電源システム１４０は、第１蓄電システムの一例であってよい。電源システム１４０は、移動体に搭載された他の蓄電システムの一例であってよい。鉛電池パック１４２は、移動体に搭載された他の蓄電システムの一部を構成する他の蓄電装置の一例であってよい。
【００６９】
リチウム電池パック１６０は、蓄電システムの一例であってよい。リチウム電池パック１６０は、車両１００に搭載されて使用される場合、第１蓄電システムの一例であってよい。リチウム電池パック１６０は、定置用電源２００に組み込まれて使用される場合、第２蓄電システムの一例であってよい。蓄電モジュール１６２は、蓄電装置の一例であってよい。定置用電源２００を構成する蓄電モジュール１６２は、第２蓄電システムを構成する他の蓄電装置の一例であってよい。蓄電モジュール１６２及びウエイトモジュール１６４の接続を介在する任意の部材は、第１接続部材の一例であってよい。一の蓄電モジュール１６２及び他の蓄電モジュール１６２の接続を介在する任意の部材は、第２接続部材の一例であってよい。ウエイトモジュール１６４は、質量調整部材の一例であってよい。収容ケース１６６は、収容部材の一例であってよい。収容ケース１６６は、第１接続部材の一例であってよい。
【００７０】
定置用電源２００は、第２蓄電システムの一例であってよい。定置用電源２００は、定置用の蓄電システムの一例であってよい。ラック２２２は、第２接続部材の一例であってよい。モジュール均等化部２３０は、第２均等化部の一例であってよい。
【００７１】
本実施形態においては、リチウム電池パック１６０が、移動体の一例である車両１００に搭載される場合を例として、リチウム電池パック１６０の詳細が説明された。しかしながら、移動体は、車両１００に限定されない。移動体の他の例としては、船舶、飛行体などが例示される。船舶としては、船、ホバークラフト、水上バイク、潜水艦、潜水艇、水中スクータなどを例示することができる。飛行体としては、飛行機、飛行船又は風船、気球、ヘリコプター、ドローンなどを例示することができる。
【００７２】
本実施形態においては、モジュール均等化部２３０が蓄電モジュール１６２の外部に配され、定置用電源２００の組み立て時に、蓄電部２２０を構成する複数の蓄電モジュール１６２と電気的に接続される場合を例として、モジュール均等化部２３０の一例が説明された。しかしながら、モジュール均等化部２３０は本実施形態に限定されない。他の実施形態において、モジュール均等化部２３０は、蓄電部２２０を構成する１以上のリチウム電池パック１６０の少なくとも一部に内蔵されていてもよい。
【００７３】
図３は、蓄電モジュール１６２のシステム構成の一例を概略的に示す。本実施形態において、蓄電モジュール１６２は、蓄電セル群３２０と、セル均等化部３３０と、制御部３４０と、通信部３５０と、筐体３６０とを備える。本実施形態において、筐体３６０は、電力コネクタ３６２と、通信コネクタ３６４と、取付部３６６とを有する。
【００７４】
本実施形態において、蓄電セル群３２０は、電力を蓄積したり、電力を放出したりする。蓄電セル群３２０は、１以上の蓄電セルを含む。蓄電セル群３２０が複数の蓄電セルを含む場合、当該複数の蓄電セルの少なくとも一部が直列に接続されていてもよく、当該複数の蓄電セルの少なくとも一部が並列に接続されていてもよく、当該複数の蓄電セルの少なくとも一部がマトリクス状に接続されていてもよい。
【００７５】
本実施形態において、セル均等化部３３０は、蓄電セル群３２０に含まれる複数の蓄電セルのうち、少なくとも２つの蓄電セルの電圧を均等化する。セル均等化部３３０の動作原理は特に限定されるものではなく、任意のバランス補正装置（均等化装置と称される場合もある。）を利用することができる。
【００７６】
セル均等化部３３０は、複数のバランス補正装置を有してよい。一実施形態において、蓄電セル群３２０がｎ個（ｎは、２以上の整数である。）の蓄電セルを有する場合、セル均等化部３３０は、ｎ個のバランス補正装置を有する。他の実施形態において、蓄電セル群３２０がｎ個（ｎは、２以上の整数である。）の蓄電セルを有する場合、セル均等化部３３０は、ｎ−１個のバランス補正装置を有する。
【００７７】
セル均等化部３３０は、ハードウエアにより実現されてもよく、ソフトウエアにより実現されてもよく、ハードウエアとソフトウエアとの組み合わせにより実現されてもよい。セル均等化部３３０は、アナログ回路、デジタル回路、又は、アナログ回路及びデジタル回路の組み合わせにより実現されてもよい。一実施形態において、セル均等化部３３０は、アクティブ方式のバランス補正装置を含む。アクティブ方式のバランス補正装置は、特開２００６−０６７７４２号公報に記載されているような、２つの蓄電セルの間でインダクタを介して電荷を移動させるバランス補正装置であってもよく、特開２０１２−２１０１０９号公報に記載されているような、キャパシタを用いて電荷を移動させるバランス補正装置であってもよい。他の実施形態において、セル均等化部３３０は、パッシブ方式のバランス補正装置を含む。パッシブ方式のバランス補正装置は、例えば、外部抵抗を用いて余計な電荷を放出する。
【００７８】
本実施形態において、制御部３４０は、蓄電モジュール１６２の動作を制御する。制御部３４０は、蓄電モジュール１６２の出力を制御してよい。制御部３４０は、例えば、蓄電モジュール１６２の出力電力、出力電圧、出力電流、及び、出力レートの少なくとも１つを制御する。制御部３４０は、蓄電モジュール１６２の充電を制御してよい。例えば、制御部３４０は、蓄電モジュール１６２の充電電力、充電電圧、充電電流、及び、充電レートの少なくとも１つを制御する。
【００７９】
制御部３４０は、蓄電モジュール１６２の動作及び状態の少なくとも一方を監視してよい。例えば、制御部３４０は、リチウム電池パック１６０の各部に配された各種のセンサからの出力信号を受信することで、蓄電モジュール１６２の動作及び状態の少なくとも一方を示す情報を取得する。制御部３４０は、時刻を示す情報と、当該時刻における蓄電モジュール１６２の状態を示す情報とを対応付けて、任意の記憶装置に格納してよい。制御部３４０は、上記の情報を、外部の情報処理装置に送信してもよい。
【００８０】
蓄電モジュール１６２の動作としては、充電、放電、均等化、及び、停止の少なくとも１つが例示される。蓄電モジュール１６２の状態としては、電圧値、電流値、残容量、ＳＯＣ（Ｓｔａｔｅ  Ｏｆ  Ｃｈａｒｇｅ）、温度、及び、劣化状態の少なくとも１つが例示される。
【００８１】
制御部３４０は、蓄電部２２０の過充電及び過放電を防止してよい。制御部３４０は、モジュール均等化部２３０の動作を制御して、蓄電部２２０を構成する複数の蓄電モジュール１６２の間の電圧のバラツキを補正してよい。
【００８２】
本実施形態において、通信部３５０は、制御部３４０と、リチウム電池パック１６０の外部の情報処理装置との間で情報を送受する。例えば、外部の情報処理装置としては、車両制御部１２０、電源制御部２４０、蓄電モジュール１６２の状態を監視するサーバ（図示されていない。）などが例示される。例えば、通信部３５０は、通信コネクタ３６４を介して、リチウム電池パック１６０の外部の情報処理装置との間で、有線通信により情報を送受する。通信部３５０は、通信コネクタ３６４及びアンテナ１６８を介して、リチウム電池パック１６０の外部の情報処理装置との間で、無線通信により情報を送受してもよい。
【００８３】
本実施形態において、筐体３６０は、蓄電セル群３２０を、その内部に収容する。筐体３６０は、セル均等化部３３０、制御部３４０及び通信部３５０の少なくとも１つを、その内部に収容してよい。筐体３６０は、セル均等化部３３０、制御部３４０及び通信部３５０の少なくとも１つを、その外部に保持してもよい。
【００８４】
本実施形態において、電力コネクタ３６２は、電力のインターフェースであってよい。本実施形態において、通信コネクタ３６４は、通信のインターフェースであってよい。
【００８５】
本実施形態において、取付部３６６は、蓄電モジュール１６２と、ウエイトモジュール１６４又は他の蓄電モジュール１６２との接続に用いられる。筐体３６０は、複数の取付部３６６を有してもよい。
【００８６】
一実施形態において、リチウム電池パック１６０の組み立てにおいて、蓄電モジュール１６２及びウエイトモジュール１６４の接続に用いられた取付部３６６が、定置用電源２００の組み立てにおいて、蓄電モジュール１６２及び他の蓄電モジュール１６２の接続に用いられてもよい。他の実施形態において、リチウム電池パック１６０の組み立てにおいて、蓄電モジュール１６２及びウエイトモジュール１６４の接続に用いられた取付部３６６と、定置用電源２００の組み立てにおいて、蓄電モジュール１６２及び他の蓄電モジュール１６２の接続に用いられる取付部３６６とが異なってよい。
【００８７】
［車両１００の各部の具体的な構成］
車両１００の各部は、ハードウエアにより実現されてもよく、ソフトウエアにより実現されてもよく、ハードウエア及びソフトウエアにより実現されてもよい。車両１００を構成する構成要素の少なくとも一部がソフトウエアにより実現される場合、当該ソフトウエアにより実現される構成要素は、一般的な構成の情報処理装置において、当該構成要素に関する動作を規定したプログラムを起動することにより実現されてよい。上記の情報処理装置は、例えば、（ｉ）ＣＰＵ、ＧＰＵなどのプロセッサ、ＲＯＭ、ＲＡＭ、通信インターフェースなどを有するデータ処理装置と、（ｉｉ）キーボード、タッチパネル、カメラ、マイク、各種センサ、ＧＰＳ受信機などの入力装置と、（ｉｉｉ）表示装置、スピーカ、振動装置などの出力装置と、（ｉｖ）メモリ、ＨＤＤなどの記憶装置（外部記憶装置を含む。）とを備える。プロセッサは、コンピュータの一例であってもよい。
【００８８】
上記の情報処理装置において、上記のデータ処理装置又は記憶装置は、プログラムを格納してよい。上記のプログラムは、非一時的なコンピュータ可読記録媒体に格納されてよい。上記のプログラムは、プロセッサによって実行されることにより、上記の情報処理装置に、当該プログラムによって規定された動作を実行させる。
【００８９】
プログラムは、非一時的なコンピュータ可読記録媒体に格納されていてもよい。プログラムは、ＣＤ−ＲＯＭ、ＤＶＤ−ＲＯＭ、メモリ、ハードディスクなどのコンピュータ読み取り可能な媒体に記憶されていてもよく、ネットワークに接続された記憶装置に記憶されていてもよい。プログラムは、コンピュータ読み取り可能な媒体又はネットワークに接続された記憶装置から、車両１００の少なくとも一部を構成するコンピュータにインストールされてよい。プログラムが実行されることにより、コンピュータが、車両１００の各部の少なくとも一部として機能してもよい。
【００９０】
コンピュータを車両１００の各部の少なくとも一部として機能させるプログラムは、車両１００の各部の動作を規定したモジュールを備えてよい。これらのプログラム又はモジュールは、データ処理装置、入力装置、出力装置、記憶装置等に働きかけて、コンピュータを車両１００の各部として機能させたり、コンピュータに車両１００の各部における情報処理方法を実行させたりする。
【００９１】
プログラムに記述された情報処理は、当該プログラムがコンピュータに読込まれることにより、当該プログラムに関連するソフトウエアと、車両１００の各種のハードウエア資源とが協働した具体的手段として機能する。そして、上記の具体的手段が、本実施形態におけるコンピュータの使用目的に応じた情報の演算又は加工を実現することにより、当該使用目的に応じた車両１００が構築される。
【００９２】
蓄電セル群３２０は、１以上の蓄電セル及び複数の蓄電セルの一例であってよい。セル均等化部３３０は、第１均等化部の一例であってよい。制御部３４０は、情報収集部の一例であってよい。筐体３６０は、筐体の一例であってよい。取付部３６６は、接続部、共通接続部、第１接続部及び第２接続部の一例であってよい。
【００９３】
図４、図５、図６及び図７を用いて、リチウム電池パック１６０の組み立て工程の一例が説明される。図４は、ウエイトモジュール１６４及び収容ケース１６６の接続工程の一例を示す。図５及び図６は、蓄電モジュール１６２及び収容ケース１６６の接続工程の一例を示す。図７は、図４〜図６に示された工程を経て組み立てられたリチウム電池パック１６０の断面図を示す。
【００９４】
図４に示されるとおり、本実施形態において、ウエイトモジュール１６４の上面には、その四隅のそれぞれに、ネジ穴４４２が形成されている。ネジ穴４４２は、例えば、蓄電モジュール１６２と、ウエイトモジュール１６４との接続に用いられる。
【００９５】
本実施形態において、ウエイトモジュール１６４の側面のうち、一の側面には３つのネジ穴４４４が形成されており、当該一の側面に対向する他の側面にも３つのネジ穴４４４（図示されていない。）が形成されている。ネジ穴４４４は、例えば、ウエイトモジュール１６４と、収容ケース１６６との接続に用いられる。
【００９６】
本実施形態において、収容ケース１６６の側面のうち、一の側面には、ウエイトモジュール１６４の一の側面に形成された３つのネジ穴４４４のそれぞれに対応する位置に、３つの開口４６４が形成されている。同様に、収容ケース１６６の側面のうち、上記の一の側面に対向する他の側面には、ウエイトモジュール１６４の他の側面に形成された３つのネジ穴４４４のそれぞれに対応する位置に、３つの開口４６４（図示されていない。）が形成されている。開口４６４は、例えば、ウエイトモジュール１６４と、収容ケース１６６との接続に用いられる。開口４６４はネジ穴であってもよい。
【００９７】
本実施形態において、収容ケース１６６の側面のうち、上記の一の側面及び他の側面とは異なる２つの側面のそれぞれには、当該側面の上端付近に２つの開口４６２が形成されている。開口４６２は、例えば、蓄電モジュール１６２と、収容ケース１６６との接続に用いられる。開口４６２はネジ穴であってもよい。
【００９８】
図４に示される工程においては、まず、ウエイトモジュール１６４が、収容ケース１６６の内部の所定の位置に収容される。例えば、ウエイトモジュール１６４が、収容ケース１６６の底部に配される。このとき、ウエイトモジュール１６４のネジ穴４４４の位置と、収容ケース１６６の開口４６４との位置が一致する。次に、収容ケース１６６に配された６つの開口４６４のそれぞれにネジ４８４が挿入され、ウエイトモジュール１６４と、収容ケース１６６とがネジ留めされる。
【００９９】
図５及び図６に示されるとおり、本実施形態において、蓄電モジュール１６２の上面にはメンテナンス用の開口（図示されていない。）が形成されており、当該開口を塞ぐ蓋部材５６２が配されている。また、蓄電モジュール１６２の下部には、その四隅のそれぞれに、突出部５６４が配される。４つの突出部５６４のそれぞれには、ネジ留め用の開口が形成されている。同様に、蓄電モジュール１６２の上部には、その四隅のそれぞれに、突出部５６６が形成されている。４つの突出部５６６のそれぞれには、ネジ留め用の開口が形成されている。
【０１００】
図５に示される工程においては、まず、蓄電モジュール１６２が、蓄電モジュール１６２の内部の所定の位置に収容される。例えば、蓄電モジュール１６２の下部に配された突出部５６６の開口の位置と、ウエイトモジュール１６４の上面に配されたネジ穴４４２の位置とが一致するように、蓄電モジュール１６２の位置が決定される。
【０１０１】
次に、図６に示される工程において、蓄電モジュール１６２に配された４つの突出部５６６のそれぞれに設けられた開口にネジ６８２が挿入され、蓄電モジュール１６２と、ウエイトモジュール１６４とがネジ留めされる。
【０１０２】
以上の工程により、図７に示されるリチウム電池パック１６０が組み立てられる。本実施形態において、蓄電モジュール１６２は、ネジ６８２を用いて、ウエイトモジュール１６４に着脱自在に取り付けられている。また、ウエイトモジュール１６４は、ネジ４８４を用いて、収容ケース１６６に着脱自在に取り付けられている。なお、上述されたとおり、蓄電モジュール１６２と、ウエイトモジュール１６４とを取り付ける方法は、本実施形態に限定されない。蓄電モジュール１６２及びウエイトモジュール１６４は、任意の物理的手段、化学的手段及び磁気的手段の少なくとも１つを用いて、着脱可能に接続されてよい。
【０１０３】
上述されたとおり、本実施形態によれば、蓄電モジュール１６２及びウエイトモジュール１６４が着脱自在に構成される。より具体的には、例えば、蓄電モジュール１６２及びウエイトモジュール１６４のそれぞれが、収容ケース１６６に着脱自在に取り付けられる。これにより、ウエイトモジュール１６４の外形形状を、蓄電モジュール１６２の外形形状によらず、自由に決定することができる。また、従来技術と比較して、リチウム電池パック１６０の組立工程及び分解工程が簡素化され得る。
【０１０４】
本実施形態によれば、リチウム電池パック１６０が車両１００に搭載される場合には、例えば、蓄電モジュール１６２及びウエイトモジュール１６４が収容ケース１６６に固定される。これにより、車両１００の走行中に、蓄電モジュール１６２及びウエイトモジュール１６４の位置ずれが抑制される。その結果、車両１００の走行中における、リチウム電池パック１６０の重心の位置の変動が抑制される。また、車両１００の走行中におけるリチウム電池パック１６０からの振動又は騒音の発生が抑制される。
【０１０５】
本実施形態によれば、リチウム電池パック１６０を構成する蓄電モジュール１６２が、定置用電源２００の一部として再利用される場合には、蓄電モジュール１６２と、ウエイトモジュール１６４とが分離される。これにより、ラック２２２の構造が簡略化され得る。また、蓄電部２２０が小型化及び軽量化され得る。
【０１０６】
突出部５６４は、接続部及び第１接続部の一例であってよい。ネジ６８２は、第１接続部材の一例であってよい。
【０１０７】
本実施形態においては、蓄電モジュール１６２が、ウエイトモジュール１６４に取り付けられる場合を例として、リチウム電池パック１６０の組立工程の詳細が説明された。しかしながら、リチウム電池パック１６０の組立工程は、本実施形態に限定されない。
【０１０８】
他の実施形態において、蓄電モジュール１６２は、ウエイトモジュール１６４及び収容ケース１６６に取り付けられてよい。例えば、複数の突出部５６６のそれぞれと、収容ケース１６６に形成された複数の開口４６２のそれぞれとが対応しており、複数の突出部５６６のそれぞれには、対応する開口４６２の位置に合わせて、開口７６６が形成されている。そこで、適切な留め具を開口４６２及び開口７６６に挿入して、蓄電モジュール１６２及び収容ケース１６６を接続してよい。
【０１０９】
本実施形態においては、蓄電モジュール１６２及びウエイトモジュール１６４と、ウエイトモジュール１６４及び収容ケース１６６とが、ネジを用いて接続された。しかしながら、接続手段は、本実施形態に限定されない。他の実施形態において、ピン留め、面テープ、接着剤、磁石など任意の接続手段が利用され得る。また、蓄電モジュール１６２及びウエイトモジュール１６４が直接的に接続されてもよく、ウエイトモジュール１６４及び収容ケース１６６が直接的に接続されてもよい。
【０１１０】
図８は、リチウム電池パック１６０の断面図の他の例を概略的に示す。図８を用いて、リチウム電池パック１６０の組み立て方法の他の例が説明される。図８の実施形態においては、蓄電モジュール１６２及びウエイトモジュール１６４がネジ留めされていない点と、ウエイトモジュール１６４及び収容ケース１６６がネジ留めされていない点と、蓄電モジュール１６２及び収容ケース１６６がネジ留めされている点とにおいて、図４〜図７に関連して説明された実施形態と相違する。図８の実施形態において、その他の構成は、図７に関連して説明された実施形態と同様の特徴を有してよい。
【０１１１】
本実施形態において、ウエイトモジュール１６４は、収容ケース１６６の内部に収容され、ウエイトモジュール１６４の少なくとも一部が、蓄電モジュール１６２と、収容ケース１６６との間に配される。また、蓄電モジュール１６２が、留め具８８２を用いて、収容ケース１６６に着脱自在に取り付けられている。具体的には、蓄電モジュール１６２に配された複数の突出部５６６のそれぞれに配された開口７６６と、複数の開口７６６のそれぞれに対応する開口４６２との内部に、留め具８８２が挿入され、蓄電モジュール１６２及び収容ケース１６６が着脱自在に接続される。
【０１１２】
留め具８８２は、第１接続部材の一例であってよい。収容ケース１６６は、第１接続部材の一例であってよい。
【０１１３】
本実施形態においては、蓄電モジュール１６２及びウエイトモジュール１６４がネジ留めされていない場合を例として、リチウム電池パック１６０の一例が説明された。しかしながら、リチウム電池パック１６０は本実施形態に限定されない。他の実施形態において、蓄電モジュール１６２の突出部５６４に形成された開口８６４に、例えばネジ６８２が挿入され、蓄電モジュール１６２と、ウエイトモジュール１６４とがネジ留めされる。
【０１１４】
本実施形態においては、蓄電モジュール１６２及びウエイトモジュール１６４が、収容ケース１６６及び留め具８８２を用いて接続された。しかしながら、接続手段は、本実施形態に限定されない。他の実施形態において、ピン留め、面テープ、接着剤、磁石など任意の接続手段が利用され得る。また、蓄電モジュール１６２及び収容ケース１６６が、直接的に接続されてもよい。
【０１１５】
図９は、ラック２２２の構造の一例を概略的に示す。本実施形態において、ラック２２２は、棚部材９２２と、フレーム９２４と、位置決め部材９２６とを備える。ラック２２２は、複数の棚部材９２２を備えてよい。ラック２２２は、複数の位置決め部材９２６を備えてよい。
【０１１６】
本実施形態において、棚部材９２２は、１又は複数の蓄電モジュール１６２を保持する。本実施形態において、フレーム９２４は、棚部材９２２を支持する。本実施形態において、位置決め部材９２６は、蓄電モジュール１６２が棚部材９２２に取り付けられる位置を示す。単一の棚部材９２２に、複数の位置決め部材９２６が配されてもよい。
【０１１７】
図１０は、蓄電モジュール１６２の取り付け方法の一例を概略的に示す。本実施形態において、位置決め部材９２６の寸法は、蓄電モジュール１６２の下部に配された２つの突出部５６４の間の距離と同等、又は、当該距離よりもわずかに小さい長さに設定される。これにより、図１０に示されるとおり、蓄電モジュール１６２が棚部材９２２の予め定められた位置に配されたときに、位置決め部材９２６が、当該２つ突出部５６４に挟まれるので、蓄電モジュール１６２の位置決めが容易になる。
【０１１８】
棚部材９２２の上面の位置決め部材９２６の両端の近傍には、突出部５６４に配された開口に対応する位置に、開口が形成されている。例えば、突出部５６４に配された開口と、棚部材９２２に配された開口とを任意の留め具１０８２で接続することで、蓄電モジュール１６２がラック２２２に取り付けられる。
【０１１９】
突出部５６４は、共通接続部の一例であってよい。留め具１０８２は、第２接続部材の一例であってよい。
【０１２０】
本実施形態においては、蓄電モジュール１６２及びウエイトモジュール１６４の接続に用いられた突出部５６４が、蓄電モジュール１６２及びラック２２２の接続に用いられた。しかしながら、蓄電モジュール１６２及びラック２２２の接続方法は、本実施形態に限定されない。他の実施形態において、蓄電モジュール１６２は、蓄電モジュール１６２及びウエイトモジュール１６４の接続に用いられる第１接続部と、蓄電モジュール１６２及びラック２２２の接続に用いられる第２接続部とを備えてもよい。
【０１２１】
突出部５６４は、第１接続部及び第２接続部の一方の一例であってよい。突出部５６６は、第１接続部及び第２接続部の他方の一例であってよい。
【０１２２】
図１１は、リチウム電池パック１６０の生産方法の一例を概略的に示す。本実施形態によれば、まず、Ｓ１１２２において、（ｉ）鉛電池パック１４２の質量を示す情報と、（ｉｉ）蓄電モジュール１６２の質量を示す情報とが取得される。鉛電池パック１４２の質量を示す情報としては、鉛電池パック１４２の質量の数値を示す情報、鉛電池パック１４２の型番を示す情報、鉛電池パック１４２が組み込まれた電源システム１４０の型番を示す情報、鉛電池パック１４２が組み込まれた車両１００の型番を示す情報などが例示される。蓄電モジュール１６２の質量を示す情報としては、蓄電モジュール１６２の質量の数値を示す情報、蓄電モジュール１６２の型番を示す情報などが例示される。これらの情報は、例えば、ユーザにより入力される。これらの情報は、通信ネットワークを介して、外部の情報処理装置から取得されてもよい。
【０１２３】
このとき、鉛電池パック１４２の外形寸法を示す情報が取得されてもよい。また、鉛電池パック１４２の重心を示す情報が取得されてもよい。鉛電池パック１４２の重心を示す情報としては、鉛電池パック１４２の基準点に対する鉛電池パック１４２の重心の相対位置を示す情報、車両１００の基準点に対する鉛電池パック１４２の重心の相対位置などが例示される。
【０１２４】
次に、Ｓ１１２４において、ウエイトモジュール１６４が準備される。一実施例において、鉛電池パック１４２の質量と、蓄電モジュール１６２の質量との差に相当する質量を有するウエイトモジュール１６４が用意される。他の実施形態において、ウエイトモジュール１６４の質量が、鉛電池パック１４２の質量と、蓄電モジュール１６２の質量との差に相当する値に調整される。ウエイトモジュール１６４の質量の調整方法としては、複数の重りを組み合わせる方法、ウエイトモジュール１６４に設けられた空洞を充填する重りの量を調整する方法などが例示される。
【０１２５】
また、収容ケース１６６が準備される。収容ケース１６６の外形寸法は、鉛電池パック１４２の外形寸法と略同一であってよい。なお、収容ケース１６６の外形寸法はこれに限定されない。
【０１２６】
次に、Ｓ１１２６において、例えば、図４〜図７に関連して説明された手順に従って、蓄電モジュール１６２と、ウエイトモジュール１６４と、収容ケース１６６とが組み立てられる。このとき、収容ケース１６６の外形と、リチウム電池パック１６０の重心との位置関係が、鉛電池パック１４２の外形と、鉛電池パック１４２の重心との位置関係と略同一となるように、組み立て作業が実施されてよい。これにより、蓄電モジュール１６２を備えたリチウム電池パック１６０が生産される。
【０１２７】
鉛電池パック１４２の質量を示す情報は、第２質量情報の一例であってよい。蓄電モジュール１６２の質量を示す情報は、第１質量情報の一例であってよい。鉛電池パック１４２の外形寸法を示す情報は、寸法情報の一例であってよい。鉛電池パック１４２の重心の位置を示す情報は、重心情報の一例であってよい。
【０１２８】
図１２は、定置用電源２００の生産方法の一例を概略的に示す。本実施形態によれば、まず、Ｓ１２２２において、複数のリチウム電池パック１６０が準備される。次に、Ｓ１２２４において、複数のリチウム電池パック１６０のそれぞれが分解される。これにより、リチウム電池パック１６０において接続されていた蓄電モジュール１６２と、ウエイトモジュール１６４とが分離される。次に、Ｓ１２２６において、回収された複数の蓄電モジュール１６２を用いて、定置用電源２００が組み立てられる。具体的には、複数の蓄電モジュール１６２のそれぞれが、ラック２２２に固定される。また、複数の蓄電モジュール１６２が電気的に接続される。これにより、定置用電源２００が生産される。
【０１２９】
図１３は、本発明の複数の態様が全体的又は部分的に具現化されてよいコンピュータ３０００の一例を示す。
【０１３０】
コンピュータ３０００にインストールされたプログラムは、コンピュータ３０００に、本発明の実施形態に係る装置に関連付けられるオペレーション又は当該装置の１又は複数の「部」として機能させ、又は当該オペレーション又は当該１又は複数の「部」を実行させることができ、及び／又はコンピュータ３０００に、本発明の実施形態に係るプロセス又は当該プロセスの段階を実行させることができる。そのようなプログラムは、コンピュータ３０００に、本明細書に記載のフローチャート及びブロック図のブロックのうちのいくつか又はすべてに関連付けられた特定のオペレーションを実行させるべく、ＣＰＵ３０１２によって実行されてよい。
【０１３１】
本実施形態によるコンピュータ３０００は、ＣＰＵ３０１２、ＲＡＭ３０１４、グラフィックコントローラ３０１６、及びディスプレイデバイス３０１８を含み、それらはホストコントローラ３０１０によって相互に接続されている。コンピュータ３０００はまた、通信インターフェース３０２２、ハードディスクドライブ３０２４、ＤＶＤ−ＲＯＭドライブ３０２６、及びＩＣカードドライブのような入出力ユニットを含み、それらは入出力コントローラ３０２０を介してホストコントローラ３０１０に接続されている。コンピュータはまた、ＲＯＭ３０３０及びキーボード３０４２のようなレガシの入出力ユニットを含み、それらは入出力チップ３０４０を介して入出力コントローラ３０２０に接続されている。
【０１３２】
ＣＰＵ３０１２は、ＲＯＭ３０３０及びＲＡＭ３０１４内に格納されたプログラムに従い動作し、それにより各ユニットを制御する。グラフィックコントローラ３０１６は、ＲＡＭ３０１４内に提供されるフレームバッファ等又はそれ自体の中に、ＣＰＵ３０１２によって生成されるイメージデータを取得し、イメージデータがディスプレイデバイス３０１８上に表示されるようにする。
【０１３３】
通信インターフェース３０２２は、ネットワークを介して他の電子デバイスと通信する。ハードディスクドライブ３０２４は、コンピュータ３０００内のＣＰＵ３０１２によって使用されるプログラム及びデータを格納する。ＤＶＤ−ＲＯＭドライブ３０２６は、プログラム又はデータをＤＶＤ−ＲＯＭ３００１から読み取り、ハードディスクドライブ３０２４にＲＡＭ３０１４を介してプログラム又はデータを提供する。ＩＣカードドライブは、プログラム及びデータをＩＣカードから読み取り、及び／又はプログラム及びデータをＩＣカードに書き込む。
【０１３４】
ＲＯＭ３０３０はその中に、アクティブ化時にコンピュータ３０００によって実行されるブートプログラム等、及び／又はコンピュータ３０００のハードウエアに依存するプログラムを格納する。入出力チップ３０４０はまた、様々な入出力ユニットをパラレルポート、シリアルポート、キーボードポート、マウスポート等を介して、入出力コントローラ３０２０に接続してよい。
【０１３５】
プログラムが、ＤＶＤ−ＲＯＭ３００１又はＩＣカードのようなコンピュータ可読記憶媒体によって提供される。プログラムは、コンピュータ可読記憶媒体から読み取られ、コンピュータ可読記憶媒体の例でもあるハードディスクドライブ３０２４、ＲＡＭ３０１４、又はＲＯＭ３０３０にインストールされ、ＣＰＵ３０１２によって実行される。これらのプログラム内に記述される情報処理は、コンピュータ３０００に読み取られ、プログラムと、上記様々なタイプのハードウエアリソースとの間の連携をもたらす。装置又は方法が、コンピュータ３０００の使用に従い情報のオペレーション又は処理を実現することによって構成されてよい。
【０１３６】
例えば、通信がコンピュータ３０００及び外部デバイス間で実行される場合、ＣＰＵ３０１２は、ＲＡＭ３０１４にロードされた通信プログラムを実行し、通信プログラムに記述された処理に基づいて、通信インターフェース３０２２に対し、通信処理を命令してよい。通信インターフェース３０２２は、ＣＰＵ３０１２の制御の下、ＲＡＭ３０１４、ハードディスクドライブ３０２４、ＤＶＤ−ＲＯＭ３００１、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【０１３７】
また、ＣＰＵ３０１２は、ハードディスクドライブ３０２４、ＤＶＤ−ＲＯＭドライブ３０２６（ＤＶＤ−ＲＯＭ３００１）、ＩＣカード等のような外部記録媒体に格納されたファイル又はデータベースの全部又は必要な部分がＲＡＭ３０１４に読み取られるようにし、ＲＡＭ３０１４上のデータに対し様々なタイプの処理を実行してよい。ＣＰＵ３０１２は次に、処理されたデータを外部記録媒体にライトバックしてよい。
【０１３８】
様々なタイプのプログラム、データ、テーブル、及びデータベースのような様々なタイプの情報が記録媒体に格納され、情報処理を受けてよい。ＣＰＵ３０１２は、ＲＡＭ３０１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ３０１４に対しライトバックする。また、ＣＰＵ３０１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ３０１２は、当該複数のエントリの中から、第１の属性の属性値が指定されている条件に一致するエントリを検索し、当該エントリ内に格納された第２の属性の属性値を読み取り、それにより予め定められた条件を満たす第１の属性に関連付けられた第２の属性の属性値を取得してよい。
【０１３９】
上で説明したプログラム又はソフトウエアモジュールは、コンピュータ３０００上又はコンピュータ３０００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、それにより、上記のプログラムを、ネットワークを介してコンピュータ３０００に提供する。
【０１４０】
本実施形態におけるフローチャート及びブロック図におけるブロックは、オペレーションが実行されるプロセスの段階又はオペレーションを実行する役割を持つ装置の「部」を表わしてよい。特定の段階及び「部」が、専用回路、コンピュータ可読記憶媒体上に格納されるコンピュータ可読命令と共に供給されるプログラマブル回路、及び／又はコンピュータ可読記憶媒体上に格納されるコンピュータ可読命令と共に供給されるプロセッサによって実装されてよい。専用回路は、デジタル及び／又はアナログハードウェア回路を含んでよく、集積回路（ＩＣ）及び／又はディスクリート回路を含んでよい。プログラマブル回路は、例えば、フィールドプログラマブルゲートアレイ（ＦＰＧＡ）、及びプログラマブルロジックアレイ（ＰＬＡ）等のような、論理積、論理和、排他的論理和、否定論理積、否定論理和、及び他の論理演算、フリップフロップ、レジスタ、並びにメモリエレメントを含む、再構成可能なハードウェア回路を含んでよい。
【０１４１】
コンピュータ可読記憶媒体は、適切なデバイスによって実行される命令を格納可能な任意の有形なデバイスを含んでよく、その結果、そこに格納される命令を有するコンピュータ可読記憶媒体は、フローチャート又はブロック図で指定されたオペレーションを実行するための手段を作成すべく実行され得る命令を含む、製品を備えることになる。コンピュータ可読記憶媒体の例としては、電子記憶媒体、磁気記憶媒体、光記憶媒体、電磁記憶媒体、半導体記憶媒体等が含まれてよい。コンピュータ可読記憶媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ−ＲＯＭ）、デジタル多用途ディスク（ＤＶＤ）、ブルーレイ（登録商標）ディスク、メモリスティック、集積回路カード等が含まれてよい。
【０１４２】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードのいずれかを含んでよい。
【０１４３】
コンピュータ可読命令は、汎用コンピュータ、特殊目的のコンピュータ、若しくは他のプログラム可能なデータ処理装置のプロセッサ、又はプログラマブル回路が、フローチャート又はブロック図で指定されたオペレーションを実行するための手段を生成するために当該コンピュータ可読命令を実行すべく、ローカルに又はローカルエリアネットワーク（ＬＡＮ）、インターネット等のようなワイドエリアネットワーク（ＷＡＮ）を介して、汎用コンピュータ、特殊目的のコンピュータ、若しくは他のプログラム可能なデータ処理装置のプロセッサ、又はプログラマブル回路に提供されてよい。プロセッサの例としては、コンピュータプロセッサ、処理ユニット、マイクロプロセッサ、デジタル信号プロセッサ、コントローラ、マイクロコントローラ等を含む。
【０１４４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。その様な変更または改良を加えた形態も本発明の技術的範囲に含まれ得ることが、特許請求の範囲の記載などから明らかである。
【０１４５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１４６】
１００  車両、１２０  車両制御部、１３０  駆動システム、１４０  電源システム、１４２  鉛電池パック、１６０  リチウム電池パック、１６２  蓄電モジュール、１６４  ウエイトモジュール、１６６  収容ケース、１６８  アンテナ、２００  定置用電源、２２０  蓄電部、２２２  ラック、２３０  モジュール均等化部、２４０  電源制御部、３２０  蓄電セル群、３３０  セル均等化部、３４０  制御部、３５０  通信部、３６０  筐体、３６２  電力コネクタ、３６４  通信コネクタ、３６６  取付部、４４２  ネジ穴、４４４  ネジ穴、４６２  開口、４６４  開口、４８４  ネジ、５６２  蓋部材、５６４  突出部、５６６  突出部、６８２  ネジ、７６６  開口、８６４  開口、８８２  留め具、９２２  棚部材、９２４  フレーム、９２６  位置決め部材、１０８２  留め具、３０００  コンピュータ、３００１  ＤＶＤ−ＲＯＭ、３０１０  ホストコントローラ、３０１２  ＣＰＵ、３０１４  ＲＡＭ、３０１６  グラフィックコントローラ、３０１８  ディスプレイデバイス、３０２０  入出力コントローラ、３０２２  通信インターフェース、３０２４  ハードディスクドライブ、３０２６  ＤＶＤ−ＲＯＭドライブ、３０３０  ＲＯＭ、３０４０  入出力チップ、３０４２  キーボード
【図１】
2020202166.tif 000003
【図２】
2020202166.tif 000004
【図３】
2020202166.tif 000005
【図４】
2020202166.tif 000006
【図５】
2020202166.tif 000007
【図６】
2020202166.tif 000008
【図７】
2020202166.tif 000009
【図８】
2020202166.tif 000010
【図９】
2020202166.tif 000011
【図１０】
2020202166.tif 000012
【図１１】
2020202166.tif 000013
【図１２】
2020202166.tif 000014
【図１３】
2020202166.tif 000015